(57)【要約】【課題】点検口の手狭で薄暗い中で小さな鍵穴位置を探し出す面倒な作業を省いて作業性も向上し、作業者に合鍵を渡さずに防犯性を高くする。【解決手段】錠前Ａの施解錠操作に従い開き扉Ｄをロックする施錠位置とロックを解除する解錠位置の間を回動して開き扉を施解錠するロックレバーＲを備え、ロックレバーは、合鍵と一体に施錠又は解錠方向に回動可能に錠前に基端部を連結し、基端部と先端部間に回動規制部２０ｃを設けるクランク２０と、クランクに回動可能に枢着し、壁体Ｗ側の受具６５に係脱させて開き扉を施解錠するフック部２５ｂと廻り止め部２５ａを有したリンク２５とで構成し、常時、受具にリンクのフック部が係止する向きに回動付勢する一方、廻り止め部がクランクの回動規制部に突き当ってフック部が施錠姿勢位置に位置決め保持し、開き扉を閉めてリンクのフック部が受具に突き当たると、フック部が受具に係止して開き扉をオートロックする。【選択図】          図１
2017214708.tif 000002
【特許請求の範囲】
【請求項１】
壁体に開設した開口を開閉する開き扉の戸先側木口から外側に鍵穴を臨ませて開き扉に設置する錠前と、該錠前の合鍵を前記鍵穴に挿し込んでする施解錠操作に従い開き扉をロックする施錠位置とロックを解除する解錠位置の間を回動して開き扉を施解錠するロックレバーと、解錠時に外側から前記鍵穴を臨む開き角度だけ開扉する解錠操作位置に開き扉を案内する開扉ガイド手段と、を備える開き扉の施解錠機構であって、
前記ロックレバーは、
合鍵と一体に施錠又は解錠方向に回動可能に前記錠前に基端部を連結し、基端部と先端部間に回動規制部を設けるクランクと、該クランクに回動可能に枢着し、壁体側の受具に係脱させて開き扉を施解錠するフック部と廻り止め部を備えたリンクとで構成し、
前記開扉ガイド手段は、開き扉を解錠操作位置に案内したとき、前記ロックレバーのフック部が突き当たる高さ位置の壁体側に前記受具を設置し、
前記ロックレバーは、
常時は、該受具に前記リンクのフック部が係止する向きに回動付勢する一方、前記廻り止め部が前記クランクの回動規制部に突き当って前記フック部が施錠姿勢位置に位置決め保持し、開き扉を閉めて前記リンクのフック部が前記受具に突き当たると、該フック部が前記受具に係止して開き扉をオートロックすることを特徴とする、開き扉の施解錠機構。
【請求項２】
前記ロックレバーは、解錠時、前記リンクを解錠方向に回動して起立状態の解錠姿勢位置に保持し、該リンクに可撓性を有する戻り止め部材を装着し、該戻り止め部材が前記クランクの回動規制部に突き当った回動抑制状態で前記リンクをそのまま起立状態の解錠姿勢位置に保持してなることを特徴とする、請求項１に記載の開き扉の施解錠機構。
【請求項３】
前記開扉ガイド手段は、前記受具および該受具を横架する取付フレームに設ける取付穴を、前記錠前および前記ロックレバーに対して上下方向又は前後方向のいずれか一方向又は双方向に取付位置を調整する長穴で形成してなることを特徴とする、請求項１又は２に記載の開き扉の施解錠機構。
【発明の詳細な説明】
【技術分野】
【０００１】
本発明は、例えば複数のパネルを列設して構築した壁体の点検口のような開口を開閉する開き扉を施解錠するのに好適な開き扉の施解錠機構に関する。
【背景技術】
【０００２】
最近のビル建築物では、複数の金属製パネルを列設して出っ張りなく一面フラットに室内壁を構築するため、設備の点検口を開閉する開き扉の設置個所も、施解錠操作のドアハンドルのような突起物が表の外側に出っ張らない一見して壁のように見える外観であることが要請されている。そこで、従来の開き扉の施解錠機構の中には、ケースハンドルを用いて扉の表の外側からドアハンドルが大きく突出しないような構造にしたものや、配電盤の収納箱の扉のように扉を開ける使用時にドアハンドルを取り付け、その不使用時にはドアハンドルを取り外すようにした構造のものがある（特許文献１参照）。
【０００３】
しかし、従来、ケースハンドルを用いた例では、扉面からケースハンドル自体の存在が目立ってしまうし、ドアハンドルが着脱式のものでは、扉を開ける際にドアハンドルを引き抜くと、それが抜け落ちてしまう等の問題があった。
【０００４】
そこで、出願人は、閉状態において開き扉の外側に施解錠操作用ハンドルのような突出物のない美的外観を得られる一方、開き扉を外側から容易に施解錠できる開閉装置を提案している。この従来の開き扉の施解錠機構は、図１６に示すように、パネルｗ・ｗ´間の目地部１に外側へ臨む鍵操作用の小穴１ａを設け、目地部１の内側に装置本体２を設置し、装置本体２は、鍵穴３ａを鍵操作用小穴１ａに合わせて設けられるシリンダ錠３と、施解錠時は鍵操作用小穴１ａを通して鍵穴３ａに回転自在に抜き差しする鍵棒４と、鍵棒４を差し込んでシリンダ錠３の内部で正逆方向に回転すると、その回転に連動して開き扉５をロックするロック位置又はロック解除位置に回動するロックレバー６を備え、鍵棒４を、鍵操作用小穴１ａに通して鍵穴３ａに差し込み錠内部で正逆方向に回動すれば、開き扉５を外側から容易に施解錠できる構成になっている。
【先行技術文献】
【特許文献】
【０００５】
【特許文献１】特開平９−１００６５７号公報
【発明の概要】
【発明が解決しようとする課題】
【０００６】
ところが、従来の開き扉の施解錠機構では、開き扉の開閉時に、その都度、鍵棒４の先端を、目地部１の狭い隙間から鍵操作用小穴１ａを通して鍵穴３ａに差し込んで開き扉５を外側から施解錠するが、隙間の幅が狭いと、鍵棒４の先端が誤って目地部１の両縁に衝突しやすく、そのために目地部１が傷だらけになり、折角、いったん壁面が一面フラットになって向上した点検口周りの美的外観が経時に悪化する一方、だからと言って、鍵棒の差込み操作が容易になるように目地部１の幅を拡げると、閉時、一見すると壁のように見えるはずの外側正面に縦に目地部１の凹みが目立って点検口周りの美的外観が低下するという課題があった。
【０００７】
しかも、従来の開き扉の施解錠機構では、作業のため設備の点検口を頻繁に出入りするたびに、都度、防犯のため鍵棒４を鍵穴３ａに差し込んで開き扉５を施錠操作する必要
があるが、出入りするたびに合鍵を使うために作業性が悪く、点検口という手狭で薄暗い中では、小さな鍵穴位置を手で探って探し出すことが面倒になるという作業性に課題があった。他方、作業者に予め合鍵を渡して管理を作業者に委ねていても、合鍵を紛失したり勝手に複製して悪用するという防犯性に課題があった。
【課題を解決するための手段】
【０００８】
そこで、請求項１に記載の発明は、たとえば以下に示す図示実施の形態のとおり、壁体Ｗに開設した開口を開閉する開き扉の戸先側木口１１ｃから外側に鍵穴２２を臨ませて開き扉に設置する錠前Ａと、該錠前Ａの合鍵１９を前記鍵穴２２に挿し込んでする施解錠操作に従い開き扉をロックする施錠位置とロックを解除する解錠位置の間を回動して開き扉を施解錠するロックレバーＲと、解錠時に外側から前記鍵穴２２を臨む開き角度だけ開扉する解錠操作位置に開き扉を案内する開扉ガイド手段Ｃと、を備える開き扉の施解錠機構であって、前記ロックレバーＲは、合鍵１９と一体に施錠又は解錠方向に回動可能に前記錠前Ａに基端部２０ｂを連結し、基端部２０ｂと先端部２０ａ間に回動規制部を設けるクランク２０と、該クランク２０に回動可能に枢着し、壁体Ｗ側の受具６５に係脱させて開き扉を施解錠するフック部２５ｂと廻り止め部２５ａを備えたリンク２５とで構成し、前記開扉ガイド手段Ｃは、開き扉を解錠操作位置に案内したとき、前記ロックレバーＲのフック部２５ｂが突き当たる高さ位置の壁体Ｗ側に前記受具６５を設置し、前記ロックレバーＲは、常時は、該受具６５に前記リンク２５のフック部２５ｂが係止する向きに回動付勢する一方、前記廻り止め部２５ａが前記クランクの回動規制部に突き当って前記フック部２５ｂが施錠姿勢位置に位置決め保持し、開き扉を閉めて前記リンク２５のフック部２５ｂが前記受具６５に突き当たると、該フック部２５ｂが前記受具６５に係止して開き扉をオートロックすることを特徴とする。
【０００９】
請求項２に記載の発明は、請求項１に記載の開き扉の施解錠機構において、たとえば以下に示す図示実施の形態のとおり、前記ロックレバーＲは、解錠時、前記リンク２５を解錠方向に回動して起立状態の解錠姿勢位置に保持し、該リンク２５に可撓性を有する戻り止め部材を装着し、該戻り止め部材が前記クランクの回動規制部に突き当った回動制状態で前記リンク２５をそのまま解錠姿勢位置に保持してなることを特徴とする。
【００１０】
請求項３に記載の発明は、請求項１又は２に記載の開き扉の施解錠機構において、たとえば以下に示す図示実施の形態のとおり、前記開扉ガイド手段Ｃは、前記受具６５および該受具を横架する取付フレーム４５に設ける取付穴６９・  を、前記錠前Ａおよび前記ロックレバーＲに対して上下方向又は前後方向のいずれか一方向又は双方向に取付位置を調整する長穴で形成してなることを特徴とする。
【発明の効果】
【００１１】
請求項１に記載の発明によれば、施錠時は、開き扉を閉めてロックレバーのリンクのフック部が受具に突き当たると、フック部が自動的に受具に係止して開き扉をオートロックすることで、合鍵が不要になることから、作業のため設備の点検口を頻繁に出入りするたびに、都度、防犯のため合鍵を使った面倒な施錠操作も必要でなくなり、点検口という手狭で薄暗い中で小さな鍵穴位置を手で探って探し出す面倒な作業もなくなって作業性も向上し、作業者に合鍵を渡すこともないので合鍵を紛失したり勝手に複製して悪用することをなくし防犯性も高くすることができる。
【００１２】
また、請求項１に記載の発明によれば、開き扉の開閉に応じて施錠又は解錠操作するとき、外側から合鍵を鍵穴に差し込んで操作できる開き角度だけ僅かに開扉した施解錠操作位置まで開いて、合鍵を使って施解錠操作すればよく、従来のようにパネル間の目地部を利用して鍵棒の先端を目地部の狭い隙間に通して施解錠する操作が必要にならない構成にするため、鍵棒の先端が誤って目地部の狭い隙間の両縁に衝突して目地部が傷だらけになるようなこともなく、点検口など開口周りの美的外観が悪化するのを防止することができる。しかも、パネル間の目地部を全く利用しないから、目地部の隙間を限りなくゼロに近く狭くした壁体の構築が実現し、そして、開き扉が閉状態においては、開き扉が点検口等の開口に収まって壁体と面一になり、外側から鍵穴なども露見しないから、全体に美感を更に高めることもできる。
【００１３】
請求項２に記載の発明によれば、施錠時にオートロック機能をオフにするときは、ロックレバーＲは、リンクを解錠方向に回動して起立状態の解錠姿勢位置に保持し、リンクに可撓性を有する戻り止め部材を装着し、その戻り止め部材がクランクの回動規制部に突き当った回動制状態でリンクをそのまま解錠姿勢位置に保持される。必要な解錠時間を経てして後、開き扉を再び施錠する場合は、付勢部材の押し付け付勢力に抗してリンクを倒して、クランクの先端部と重なる伏せた元のオートロック姿勢の施錠位置に戻せばよい。そのとき、戻り止め部材は可撓性を有するから、撓みながら変形して容易に施錠位置に戻すこともできる。
【００１４】
請求項３に記載の発明によれば、開扉ガイド手段は、受具と取付フレームに設ける取付穴を長穴で形成するから、たとえ手狭で薄暗い点検口などのにあっても、錠前およびロックレバーに対して取付位置を上下方向および前後方向に手間なく簡単に調整することができる。
【図面の簡単な説明】
【００１５】
【図１】本発明である開き扉の施解錠機構を（ａ）閉扉施錠状態（ｂ）扉押込み状態（ｃ）開扉状態（ｄ）扉引出し施錠状態において示す側面図である。
【図２】同施解錠機構を適用した壁体を扉閉状態において示す平面図である。
【図３】同施解錠機構を（ａ）閉扉施錠状態（ｂ）扉押込み状態（ｃ）開扉状態（ｄ）扉引出し施錠状態において示す平面図である。
【図４】同施解錠機構を（ａ）閉扉施錠状態（ｂ）扉押込み状態（ｃ）開扉状態（ｄ）扉引出し施錠状態において内側から見て示す斜視図である。
【図５】同施解錠機構を（ａ）閉扉施錠状態（ｂ）扉押込み状態（ｃ）開扉状態（ｄ）扉引出し施錠状態において外側から見て示す斜視図である。
【図６】錠前とロックレバーを示す分解斜視図である。
【図７】錠前に取り付けたロックレバーを示す（ａ）組立斜視図（ｂ）平面図（ｃ）別角度から見て示す組立斜視図（ｄ）側面図である。
【図８】錠前に取り付けたロックレバーを（ａ）オートロック動作状態（ｂ）オートロック非動作状態で示す斜視図である。
【図９】錠前に取り付けたロックレバーを（ａ）オートロック動作状態（ｂ）オートロック非動作状態で示す側面図である。
【図１０】開扉ガイド手段を示す分解斜視図である。
【図１１】開扉ガイド手段を示す組立斜視図である。
【図１２】開扉ガイド手段を示す（ａ）側面図（ｂ）正面図である。
【図１３】開扉ガイド手段を（ａ）閉扉施錠状態（ｂ）扉押込み状態（ｃ）開扉状態（ｄ）扉引出し施錠状態において一部破断して示す側面図である。
【図１４】施解錠機構をオートロック手順（ａ）閉扉開始（ｂ）鎌のフックの競り上がり（Ｃ）鎌の係止口に受軸が係止した施錠段階の順に示す斜視図である。
【図１５】上記施解錠機構を（ａ）施錠状態（ｂ）合鍵を回して解錠する状態で示す斜視図である。
【図１６】従来の開き扉の施解錠機構を適用した壁体を扉の半開き状態において示す斜視図である。
【発明を実施するための形態】
【００１６】
以下、図面を参照しつつ、本発明の実施の形態について説明する。
【００１７】
図１および図２に示すように、本発明の一例である開き扉の施解錠機構を適用した壁体Ｗは、パネルｗ１・ｗ２・ｗ３…を列設して面一に構築した室内壁で、両側の袖パネルｗ１・ｗ３に対して中間のパネルｗ２を、たとえば室内設備にある壁体Ｗに開設した奥行きの狭い点検口Ｓを開閉する開き扉Ｄで形成する。図示例のパネルｗ１・ｗ２・ｗ３…は、それぞれスチール板の両端をクランク状に折り返して竪框を形成し、隣り合う竪框相互の継目に外側から内側が臨めない立て目地が形成されている。
【００１８】
壁体Ｗの袖パネルｗ１は、開き扉Ｄ側の端部において、図３に示すように、スチール板を断面Ｌ状に屈曲して凹状の戸当り１０ａを形成すると共に、戸当り部１０ａからそれと逆向きの断面Ｌ状に屈曲して凸状の取付部１０ｂを形成し、凹状の戸当り部１０ａと凸状の取付部１０ｂとで竪框１０を構成する。それら戸当り部１０ａと取付部１０ｂの間には、一部折り重ね部分１０ｃを設けて凹溝１２を形成し、凹溝１２にクッション材１３を嵌め込んで戸当り時の衝撃を緩衝する戸当り部１０ａを形成する。
【００１９】
一方、開き扉Ｄは、扉厚が一定規格の、例えば４０ｍ~４５ｍｍで、戸先側端部を断面Ｚ状に屈曲して戸先側竪框１１を形成する。開き扉Ｄの戸先側竪框１１は、図４に示すように、閉時に袖パネルｗ１の戸当り部１０ａと対向する内側の戸当り部１１ａと、戸当り部１１ａと平行な目地隠し部１１ｂと、目地隠し部１１ｂと戸当り部１１ａとの間の戸先側木口１１ｃとで形成する。木口１１ｃは、その表面が開き扉Ｄの外側に向けて傾斜する。開き扉Ｄの戸先側木口１１ｃが合鍵１９を使って施解錠操作する開き扉Ｄの外側に向けて傾斜していると、外側から合鍵１９を鍵穴２２に差し込んで操作できる開き角度だけ開扉した半開き状態であっても、合鍵１９を鍵穴２２に対して簡単に抜き差し回動操作して開き扉Ｄを施解錠することができる。開き扉Ｄは、閉状態において、点検口Ｓに収まって壁体Ｗと面一になるように、吊元側の竪框１４を袖パネルｗ３に蝶番１６により回動自在に取り付ける。
【００２０】
そこで、本発明の開き扉の施解錠機構では、図４および図５に示すように、この開き扉Ｄの戸先側木口１１ｃにシリンダ錠１５の直径に合わせて取付穴１７を穿設し、取付穴１７を開けた位置で戸先側木口１１ｃの内側に錠前Ａを組み付け、錠前Ａに、錠前Ａの合鍵１９を鍵穴２２に挿し込んでする施解錠操作に従い開き扉Ｄをロックする施錠位置とロックを解除する解錠位置の間を回動して開き扉Ｄを施解錠するロックレバーＲを連結する一方、袖パネルｗ１の扉側竪框１１の取付部１０ｂに開扉ガイド手段Ｃを取り付ける構成になっている。
【００２１】
そのうち錠前Ａは、図６〜図９に示すように、シリンダ錠１５と、シリンダ錠１５の鍵穴２２に抜き差して回動操作する合鍵１９を備える。シリンダ錠１５は、合鍵１９を用い、シリンダ（外筒）１８内の複数本のピンタンブラーを動かしてプラグ（内筒）を回し、プラグと同軸に回転自在に内挿したジョイント３３を回動する周知の構造からなる。シリンダ１８には、底面中央にジョイント３３の先端に矩形な連結凸部１８ａを突設し、周縁にガイド突起１８ｂを設ける。
【００２２】
ロックレバーＲは、長手の金属板材を階段状に曲げ成形したクランク２０と、クランク２０の先端部２０ａに連結する鎌形状のリンク２５との２体に分割して構成し、開き扉Ｄの開閉をロックする施錠位置とロックを解除する解錠位置の間を往復する回動を制御すると共に位置決め保持する位置決め保持手段３０を備える。
【００２３】
クランク２０は、基端部２０ｂにシリンダ錠１５の連結凸部１８ａと同じ矩形な回転規制穴３９およびその周縁にシリンダ１８と連れ回る回動範囲を規定するガイド穴４１を設ける一方、先端部２０ａに枢軸２６の軸穴２９を設け、合鍵１９と一体に施錠又は解錠方向に回動可能に錠前Ａに基端部２０ａを連結する。クランク２０は、先端部２０ａと基端部２０ｂの段差間を平板で結んで段状の回動規制部２０ｃを設ける。回動規制部２０ｃには、ばね掛け穴２７を有する。
【００２４】
リンク２５は、肉厚で長めの金属板材を加工し、クランク２０の先端部２０ａに枢軸２６を支点に回動可能に枢着する軸穴２８を有する板カム状の廻り止め部２５ａと、鎌状、即ち三日月形状のフック部２５ｂとで形成し、廻り止め部２５ａとフック部２５ｂ間に首部を残し幅方向に切り欠いて係止口４０を凹設する。リンク２５は、係止口４０を開けた一側縁ｘと平行な他側縁ｙを含む周縁を板厚だけ平面で形成し、廻り止め部２５ａの周縁に円弧カム面ｗおよび直線平面状の廻り止め面ｚを周方向に連設する。
【００２５】
位置決め保持手段３０は、図６および図７に示すように、戻り止め部材３６の掛け止めリブ３６ｃをリンク２５の一側縁ｘに掛け止め、枢軸２６を付勢部材３５のコイル部３５ａの中空内に通して回転中心穴２７・２８・２９を嵌挿し、枢軸２６を中心にリンク２５をクランク２０の先端部２０ａに回動可能に枢着する。
【００２６】
そこで、ロックレバーＲにおいて、位置決め保持手段３０は、付勢部材３５のばね一端３５ｂを回動規制部２０ｃのばね掛け穴２９に係入し、Ｌ状のばね他端３５ｂを鎌状フック部２５ｂの他側縁ｙに掛け止めて、クランク２０に対してリンク２５を、枢軸２６を中心にフック部２５ｂの係止口４０が受具６５の掛け止め軸７５に係止する図中反時計方向に回動付勢する一方で、廻り止め面ｚがクランク２０の回転規制部２０ｃ上の平面に突き当たりフック部２５ｂの係止口４０が受具６５の掛け止め軸７５に係止する施錠姿勢位置に位置決め保持する。ロックレバーＲは、クランク２０の先端部２０ａのリンク２５を、図８（ａ）および図９（ａ）に示すように、クランク２０の先端部２０ａと重なる伏せたオートロック姿勢で施錠位置に保持する。
【００２７】
一方、ロックレバーＲにおいて、開き扉Ｄを、一時、解錠して点検口Ｓを出入りする場合は、リンク２５を、付勢部材３５の付勢力に抗して、図８（ｂ）および図９（ｂ）に示すように、係止口４０と掛け止め軸７５の係合が外れる解錠方向に回動し、クランク２０に対して起立した解錠姿勢位置に保持する。
【００２８】
ロックレバーＲは、このように施錠時にオートロック機能をオフにするとき、リンク２５を解錠方向に回動して起立状態の解錠姿勢位置に保持し、リンク２５に装着した可撓性を有する戻り止め部材３６がクランク２０の回動規制部２０ｃに突き当った回動規制状態でリンク２５をそのまま起立した状態の解錠姿勢位置に保持される。点検作業に必要な解錠時間を経てして後、開き扉Ｄを再び施錠する場合は、付勢部材３５の押し付け付勢力に抗してリンク２５を倒して、クランク２おの先端部２０ａと重なる伏せた施錠姿勢位置に戻せばよい。そのとき、戻り止め部材３６は可撓性を有するから、撓みながら変形して容易に施錠位置に戻すこともできる。
【００２９】
開扉ガイド手段Ｃは、図１０、図１１および図１２に示すように、長手なコ形枠状の取付フレーム４５内にプッシュラッチ５０を固設し、固定側のプッシュラッチ５０に対してスライダ５５を係合し、可動側のスライダ５５に受具６５を搭載してスライダ５５と一体に移動可能に構成する。
【００３０】
取付フレーム４５は、互いに対向する幅サイズの異なる支持板４５ａとガイド板４５ｂの先端間にストッパ軸４４を横架する。
【００３１】
スライダ５５は、上下に向き合うガイドプレート５５ａ・５５ｂの片側を取付基板５５ｃで連結する一方、取付基板５５ｃと向き合う他側は支柱５５ｄで連結して取付口８を開口し、全体に箱形に形成する。取付基板５５ｃには、片側側縁の上下角縁に切欠き凹部６１・６１を設け、外側面にストッパ軸４４を握持するＵ形のホルダ６３を突設し、内側面の片側側縁の上下角縁に嵌込凸部６４ａ・６４ａを突設する。スライダ５５は、嵌込凸部６４ａ・６４ａを取付凹部６１・６１に嵌め込み、取付基板５５ｃの外側に取付ブロック６４を取り付け、内側に軸部先端に球形状の嵌合突起６２を突設した取付プレート５７を取り付ける。
【００３２】
受具６５は、全体をく字状に屈曲した長手のケース状に形成し、下部側の直立部６５ａにホルダ６３の通し穴６６を設け、上部側の傾斜部６５ｂに細長矩形に開いた受け口７０を設け、受け口７０の開いた対向側板部６５ｃ・６５ｃ間に掛け止め軸７５を横架する。受具６５は、受け口７０を上向きにしてホルダ６３を通し穴６６に通して取付ブロック６４に直立部６５ａを嵌め込み、直立部６５ａにあけた取付穴７９に止めねじ５６を通してねじ込み、直立部６５ａを取付ブロック６４に固着してスライダ５５に搭載する。
【００３３】
開扉ガイド手段Ｃは、取付フレーム４５内の奥側において、プッシュラッチ５０を、前側の摺動ガイド部８０をストッパ軸４４に向けてガイド板４５ｂに固定する。一方、スライダ５５は、ガイドプレート５５ａ・５５ｂ間に取付フレーム４５のガイド板４５ｂに係合し、ガイドプレート５５ａ・５５ｂ間にプッシュラッチ５０を挟んでストッパ軸４４の方向に直線往復摺動可能に保持する。
【００３４】
プッシュラッチ５０は、閉扉時には、スライダ５５、即ち、スライダ５５に搭載の受具６５を、内部付勢手段によりストッパ軸４４に向けて付勢する一方、ラッチピンの先端が係止部に係止し、図１３（ａ）に示すように第１ラッチ位置にロックした初期状態とする。そこで、プッシュラッチ５０は、閉扉状態において、図１３（ｂ）に示すように、スライダ５５を内部付勢手段に抗して押し込むと、ラッチピンの先端が移動し、図１３（ｃ）に示すように、スライダ５５を第１ラッチ位置から一定のストロークＬだけ引っ込んだ第２ラッチ位置に停止してロックする。次いで、いま第２ラッチ位置にあるスライダ５５を再び押し込むと、スライダ５５を、図１３（ｄ）に示すように、内部付勢手段の復帰力により前進し、第２ラッチ位置から一定のストロークＬだけ突出し、ホルダ６３でストッパ軸４４に係合した第１ラッチ位置に停止してロックする構造になっている。
【００３５】
そこで、開扉ガイド手段Ｃにおいて、プッシュラッチ５０は、図３（ｄ）に示すように、都度、押すだけの操作でスライダ５５に搭載の受具６５を第１ラッチ位置と第２ラッチ位置との間を案内して直線往復摺動するストロークＬを、外側から鍵穴２２を臨む開き角度に合わせて設定する。
【００３６】
また、開扉ガイド手段Ｃは、図１および図２に示すように、スライダ５５に搭載の受具６５の受け口７０を、開き扉Ｄの戸先側木口１１ｃの内側に組み付けた錠前Ａに向けて、高さ方向は、リンク２５がクランク２０先端の取付部２０ａと重なる伏せた状態のロックレバーＲの高さ位置に合わせ、奥行方向には、受具６５が第１ラッチ位置にあるとき、開き扉Ｄの施錠位置に回動したロックレバーＲが受具６５の掛け止め軸７５に係止する位置で、袖パネルｗ１の扉側竪框１０の取付部１０ｂに取り付ける。
【００３７】
開扉ガイド手段Ｃは、図１２に示すように、取付フレーム４５に設ける取付穴６９、受具６５に設ける取付穴７７を、錠前ＡおよびロックレバーＲに対して取付位置を上下方向又は前後方向に調整する長穴で形成する。従って、図示例では、たとえ手狭で薄暗い点検口Ｓなどにあっても、錠前ＡおよびロックレバーＲに対して取付位置を上下方向および前後方向に手間なく簡単に調整することができる。
【００３８】
そこで、本発明では、この閉扉時、図１（ａ）、図２（ａ）、図３（ａ）、図４および図５（ａ）に示すように、ロックレバーＲのリンク２５が掛け止め軸７５に係止する第２ラッチ位置に止めて受具６５をロックする。
【００３９】
従って、本発明では、この閉扉時、図１４（ａ）に示すように、開き扉Ｄを閉めて押し込んだとき、ロックレバーＲのリンク２５のフック部２５ｂが受具６５に当接すると、図１４（ｂ）に示すように、リンク２５が枢軸２６を支点に上向きに回動しながらフック部２５ｂが、図１４（ｃ）に示すように、自動的に受具６５に掛け止まり開き扉Ｄをオートロックし、合鍵を不要にすることから、作業のため設備の点検口Ｓを頻繁に出入りするたびに、都度、防犯のため合鍵を使った面倒な施錠操作も必要でなくなり、点検口Ｓという手狭で薄暗い中で小さな鍵穴位置を手で探って探し出す面倒な作業もなくなって作業性も向上し、しかも、作業者に合鍵を渡すことがなくなるので、合鍵を紛失したり勝手に複製して悪用されることもなくし防犯性も高くすることができる。
【００４０】
その後、設備を点検するために点検口Ｓを開けるときは、開き扉Ｄの戸先側端部を押し込み、図５（ｂ）に示すように、第２ラッチ位置から一定のストロークＬだけ突出した第１ラッチ位置で停止し、この位置にロックする。すると同時に、開き扉Ｄは、内部付勢ばね５０のばね付勢力に基づいて、スライダ５５に押されて、図１（ｂ）および図７に示すように自動的に開方向へ回動する。
【００４１】
そのとき、本発明は、開き扉Ｄを開方向にばね付勢して押し開くプッシュラッチ５０が、ガイド手段で案内してスライダ５５が第１ラッチ位置と第２ラッチ位置との間を直線往復摺動するストロークＬを、開き扉Ｄの扉厚に合わせて設定しているから、図１（ｂ）、図７および図８に示すように、開き扉Ｄは、付勢ばねのばね付勢力に基づいて、スライダ５５に押されて自動的に開方向に回動するが、扉厚に相当する開き角度まで回動した施解錠操作位置に停止し、その施解錠操作位置にロックレバーＲのリンク２５のフック部２５ｂがスライダ５５の掛け止め軸７５に係止する施錠状態でロックすることができる。
【００４２】
そこで、そのまま点検口Ｓの外側から、シリンダ錠１５の鍵穴２２に合鍵１９を差し込んでシリンダ（外筒）１８内で解錠方向へプラグ（内筒）と一体にロックレバーＲを９０度回動し、スライダ５５のホルダ６３から外して解錠し、これによって開き扉Ｄのロックを解除する。それから、戸先側竪框１１に手を掛けて、図８および図９に示すように開き扉Ｄを更に開くように操作すればよい。
【００４３】
しかる後、点検口Ｓの外側から設備の点検作業を終え、そのまま点検口Ｓの外側から開き扉Ｄを閉じて施錠する場合は、図１（ｄ）、図３（ｄ）、図４（ｄ）、図５（ｄ）に示すように、いったん開き扉Ｄを、外側から鍵穴２２を臨む開き角度だけ開扉した施解錠操作位置まで押し戻してから、施解錠操作位置において、シリンダ錠１５の鍵穴２２に合鍵１９を差し込んで、今度は施錠方向へプラグ（内筒）と一体にロックレバーＲを９０度逆回動し、受具６５の掛け止め軸７５とリンク２５の係止口４０とを係止してロックレバーＲを受具６５に掛け止める。
【００４４】
以上の図示実施の形態では、壁体Ｗの外側には、施解錠操作用にハンドルや取手等の突起物が全く設けられない構成なので、点検口Ｓの閉止状態において、一見すると開き扉も壁の一部のように見える面一な美観を得ることができる。しかも、パネルｗ１・ｗ２・ｗ３間の目地部を全く利用しないから、目地部の隙間を限りなくゼロに近く狭くした壁体の構築が実現し、全体に美感を更に一層高めることできる。
【００４５】
一方で、図示実施の形態では、開き扉Ｄが解錠時に外側から前記鍵穴を臨む開き角度だけ施錠状態のまま回動し、鍵穴が外側に臨んだ錠前Ａを合鍵を使って施解錠操作すればよく、パネル間の目地部を利用して鍵棒の先端を目地部の狭い隙間に通して施解錠する操作が必要にならない構成であるため、鍵棒の先端が誤って目地部の狭い隙間の両縁に衝突して目地部が傷だらけになるようなこともなく、点検口周りの美的外観が悪化するのを防止することができる。
【符号の説明】
【００４６】
Ａ                錠前
Ｃ                開扉ガイド手段
Ｄ                開き扉
Ｒ                ロックレバー
Ｗ                壁体
１０・１１        竪框
１１ｃ            戸先側木口
１５              シリンダ錠
１９              合鍵
２０              クランク
２５              リンク
３０              位置決め保持手段
４５              取付フレーム
５０              プッシュラッチ
６５              受具
【図１】
2017214708.tif 000003
【図２】
2017214708.tif 000004
【図３】
2017214708.tif 000005
【図４】
2017214708.tif 000006
【図５】
2017214708.tif 000007
【図６】
2017214708.tif 000008
【図７】
2017214708.tif 000009
【図８】
2017214708.tif 000010
【図９】
2017214708.tif 000011
【図１０】
2017214708.tif 000012
【図１１】
2017214708.tif 000013
【図１２】
2017214708.tif 000014
【図１３】
2017214708.tif 000015
【図１４】
2017214708.tif 000016
【図１５】
2017214708.tif 000017
【図１６】
2017214708.tif 000018